【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
第１の電極；
第２の電極；
該第１の電極および該第２の電極の間に配置した電解質；
式（Ｉ）：
2018533823.tif 000001
（Ｉ）
としての構造を有する添加剤および／または式（II）：
2018533823.tif 000002
（II）
としての構造を有する添加剤前駆体
（式中、Ｑは独立して、Ｓｅ、Ｏ、Ｓ、ＰＲ２、ＣＲ２２、およびＳｉＲ２２から成る群から選択され、
ｎは１〜６であり、
Ｒ１およびＲ２は同一であっても異なってもよく、任意に接合してもよく、独立して、水素；酸素；硫黄；ハロゲン；窒素；リン；置換または非置換の、分岐状または非分岐状脂肪族；置換または非置換の、環状；置換または非置換の、分岐状または非分岐状非環式；置換または非置換の、分岐状または非分岐状ヘテロ脂肪族；置換または非置換の、分岐状または非分岐状アシル；置換または非置換のアリール；および置換または非置換のヘテロアリールから成る群から選択される。）
を含むことを特徴とする、電気化学電池。
【請求項２】
第１の電極；
第２の電極；
該第１の電極および該第２の電極の間に配置した電解質；
式（Ｉ）：
2018533823.tif 000003
（Ｉ）
としての構造を有する添加剤および／または式（II）：
2018533823.tif 000004
（II）
としての構造を有する添加剤前駆体
（式中、Ｑは独立して、Ｓｅ、Ｏ、Ｓ、ＰＲ２、ＮＲ２、ＣＲ２２、およびＳｉＲ２２から成る群から選択され、
ｎは１〜６であり、
Ｒ１およびＲ２は同一であっても異なってもよく、任意に接合してもよく、独立して、水素；酸素；硫黄；ハロゲン；窒素；リン；置換または非置換の、分岐状または非分岐状脂肪族；置換または非置換の、環状；置換または非置換の、分岐状または非分岐状非環式；置換または非置換の、分岐状または非分岐状ヘテロ脂肪族；置換または非置換の、分岐状または非分岐状アシル；置換または非置換のアリール；および置換または非置換のヘテロアリールから成る群から選択される。）
を含み、
該添加剤および任意の添加剤前駆体が、該電解質並びに添加剤および／または添加剤前駆体の総重量に対して合計量約２０重量％以下で電気化学電池中に含まれるか、或いは該添加剤および任意の添加剤前駆体が、該第１および第２の電極のそれぞれの重量に対して合計量約４重量％以下で電気化学電池中に含まれることを特徴とする、電気化学電池。
【請求項３】
第１の活性電極種を含む第１の電極；
第２の活性電極種を含む第２の電極；
該第１の電極および該第２の電極の間に配置した電解質；
式（Ｉ）：
2018533823.tif 000005
（Ｉ）
としての構造を有する添加剤および／または式（II）：
2018533823.tif 000006
（II）
としての構造を有する添加剤前駆体
（式中、Ｑは独立して、Ｓｅ、Ｏ、Ｓ、ＰＲ２、ＮＲ２、ＣＲ２２、およびＳｉＲ２２から成る群から選択され、
ｎは１〜６であり、
Ｒ１およびＲ２は同一であっても異なってもよく、任意に接合してもよく、独立して、水素；酸素；硫黄；ハロゲン；窒素；リン；置換または非置換の、分岐状または非分岐状脂肪族；置換または非置換の、環状；置換または非置換の、分岐状または非分岐状非環式；置換または非置換の、分岐状または非分岐状ヘテロ脂肪族；置換または非置換の、分岐状または非分岐状アシル；置換または非置換のアリール；および置換または非置換のヘテロアリールから成る群から選択される。）
を含み、
該添加剤および任意の添加剤前駆体が、第１および第２の活性電極種と異なることを特徴とする、電気化学電池。
【請求項４】
電極を含む電気化学電池に、式（Ｉ）：
2018533823.tif 000007
（Ｉ）
としての構造を有する添加剤および／または式（II）：
2018533823.tif 000008
（II）
としての構造を有する添加剤前駆体
（式中、Ｑは独立して、Ｓｅ、Ｏ、Ｓ、ＮＲ２、ＰＲ２、ＣＲ２２、およびＳｉＲ２２から成る群から選択され、
ｎは１〜６であり、
Ｒ１およびＲ２は同一であっても異なってもよく、任意に接合してもよく、独立して、水素；酸素；硫黄；ハロゲン；窒素；リン；置換または非置換の、分岐状または非分岐状脂肪族；置換または非置換の、環状；置換または非置換の、分岐状または非分岐状非環式；置換または非置換の、分岐状または非分岐状ヘテロ脂肪族；置換または非置換の、分岐状または非分岐状アシル；置換または非置換のアリール；および置換または非置換のヘテロアリールから成る群から選択される。）
を導入する工程を含み、
該電極が、該添加剤および任意の添加剤前駆体と異なる活性電極種を含む、方法。
【請求項５】
電気化学電池または電気化学電池の構成要素に、式（Ｉ）：
2018533823.tif 000009
（Ｉ）
としての構造を有する添加剤および／または式（II）：
2018533823.tif 000010
（II）
としての構造を有する添加剤前駆体
（式中、Ｑは独立して、Ｓｅ、Ｏ、Ｓ、ＰＲ２、ＣＲ２２、およびＳｉＲ２２から成る群から選択され、
ｎは１〜６であり、
Ｒ１およびＲ２は同一であっても異なってもよく、任意に接合してもよく、独立して、水素；酸素；硫黄；ハロゲン；窒素；リン；置換または非置換の、分岐状または非分岐状脂肪族；置換または非置換の、環状；置換または非置換の、分岐状または非分岐状非環式；置換または非置換の、分岐状または非分岐状ヘテロ脂肪族；置換または非置換の、分岐状または非分岐状アシル；置換または非置換のアリール；および置換または非置換のヘテロアリールから成る群から選択される。）
を導入する工程を含む、方法。
【請求項６】
導入する工程が、電解質に、式（Ｉ）としての構造を有する添加剤および／または式（II）としての構造を有する添加剤前駆体を加えることを含む、請求項４または５記載の方法。
【請求項７】
導入する工程が、コーティングを電極表面の少なくとも１部分に適用することを含み、該コーティングが式（Ｉ）としての構造を有する添加剤および／または式（II）としての構造を有する添加剤前駆体を含む、請求項４または５記載の方法。
【請求項８】
前記添加剤または添加剤前駆体が固体状態になるように前記コーティングを乾燥することを含む、請求項７記載の方法。
【請求項９】
前記添加剤および／または添加剤前駆体がポリアニオン性である、請求項１〜３のいずれか１項記載の電気化学電池。
【請求項１０】
前記添加剤が塩である、請求項１〜３および９のいずれか１項記載の電気化学電池。
【請求項１１】
前記添加剤がカチオンを含む、請求項１〜３および９〜１０のいずれか１項記載の電気化学電池。
【請求項１２】
前記カチオンが、Ｌｉ＋、Ｎａ＋、Ｋ＋、Ｃｓ＋、Ｒｂ＋、Ｃａ＋２、Ｍｇ＋２、置換または非置換アンモニウム、グリニジニウムおよびイミダゾリウムから成る群から選択される、請求項１１記載の電気化学電池。
【請求項１３】
前記添加剤および／または添加剤前駆体がキサンテート基を含む、請求項１〜３および９〜１２のいずれか１項記載の電気化学電池。
【請求項１４】
前記添加剤および／または添加剤前駆体の少なくとも１部が固体状態である、請求項１〜３および９〜１３のいずれか１項記載の電気化学電池。
【請求項１５】
前記添加剤および／または添加剤前駆体の少なくとも１部が電解質中に溶解されている、請求項１〜３のいずれか１項記載の電気化学電池。
【請求項１６】
前記添加剤および／または添加剤前駆体が、前記電解質中に少なくとも部分的に可溶性である、請求項１〜３のいずれか１項記載の電気化学電池。
【請求項１７】
前記添加剤および／または添加剤前駆体が、前記第１の電極上および／または前記第１の電極内に配置されている、請求項１〜３のいずれか１項記載の電気化学電池。
【請求項１８】
前記添加剤および／または添加剤前駆体が、前記第２の電極上および／または前記第２の電極内に配置されている、請求項１〜３のいずれか１項記載の電気化学電池。
【請求項１９】
前記添加剤および／または添加剤前駆体が、電解質中に含まれる、請求項１〜３のいずれか１項記載の電気化学電池。
【請求項２０】
前記添加剤および任意の添加剤前駆体が、電解質並びに添加剤および／または添加剤前駆体の総重量に対して合計量約０．５〜約２０重量％で電解質中に含まれる、請求項１〜３のいずれか１項記載の電気化学電池。
【請求項２１】
前記添加剤および任意の添加剤前駆体が、第１および第２の電極のそれぞれの重量に対して合計量約０．５〜約１０重量％で電解質中に含まれる、請求項１〜３のいずれか１項記載の電気化学電池。
【請求項２２】
前記添加剤および／または添加剤前駆体が、前記第１の電極および第２の電極の間に配置されたセパレータ上および／またはセパレータ内に配置されている、請求項１〜３のいずれか１項記載の電気化学電池。
【請求項２３】
前記添加剤および／または添加剤前駆体が、前記第１の電極および第２の電極の間に配置されたリザーバ中に含まれる、請求項１〜３のいずれか１項記載の電気化学電池。
【請求項２４】
前記電解質が硝酸塩を含む、請求項１〜３のいずれか１項記載の電気化学電池。
【請求項２５】
前記硝酸塩が、ＬｉＮＯ３、硝酸グアニジン、および硝酸ピリジンから成る群から選択される、請求項２４記載の電気化学電池。
【請求項２６】
前記電解質が、炭酸塩、ヘキサフルオロホスフェート、１，３‐ジオキソラン、１，２‐ジメトキシエタン、スルホンイミド、スルホン、スルホラン、炭酸のエステル、および／または硝酸塩含有化合物の内の１つ以上を含む、請求項１〜３のいずれか１項記載の電気化学電池。
【請求項２７】
電気化学電池が第1の活性電極種を含み、該第1の活性電極種がリチウムを含む、請求項１〜３のいずれか１項記載の電気化学電池。
【請求項２８】
電気化学電池が第２の活性電極種を含み、該第２の活性電極種が硫黄を含む、請求項１〜３のいずれか１項記載の電気化学電池。
【請求項２９】
前記第２の電極がインターカレーション型電極である、請求項１〜３のいずれか１項記載の電気化学電池。
【請求項３０】
前記電解質が硝酸塩を含む、請求項６記載の方法。
【請求項３１】
前記電解質が、炭酸塩、ヘキサフルオロホスフェート、１，３‐ジオキソラン、１，２‐ジメトキシエタン、スルホンイミド、スルホン、スルホラン、炭酸のエステル、および／または硝酸塩含有化合物の内の１つ以上を含む、請求項６記載の方法。
【請求項３２】
電気化学電池が第１の活性電極種を含み、該第１の活性電極種がリチウムを含む、請求項４〜５のいずれか１項記載の方法。